(57)【要約】【課題】スケジュール機能に連動した呼び出し機能を備える携帯電話を提供する。【解決手段】スケジュール内容を記憶する記憶部と、着信時に利用者を呼び出す呼び出し部と、呼び出し時間をカウントするタイマーと、呼び出しと留守番電話機能とを制御する制御部とを備え、着信時にスケジュールを参照し、予めスケジュールに設定しておいた時間だけ呼び出しを行い、タイマーで呼び出し時間をカウントし、設定時間を経過した場合に自動的に留守番電話に切り替える。【選択図】図１
2007267180.tif 000002
【特許請求の範囲】
【請求項１】
着信時に着信信号を受信する無線部と、少なくともスケジュールの時間帯と呼び出し時間とを含むスケジュール内容を設定入力する操作部と、前記スケジュール内容を記憶する記憶部と、現在時刻の計時と呼び出し時間のカウントを行うタイマーと、呼び出しを行う呼び出し部と、呼び出し及び留守番電話機能を制御する制御部と、を備え、着信時に前記制御部は、前記記憶部に記憶された前記スケジュ一ル内容を参照し、前記タイマーの計時した現在時刻が前記スケジュールの時間帯にあるならば、前記呼び出し部に呼び出しを行わせるとともに前記タイマーに呼び出し時間のカウントを開始させ、着信応答があるかを確認し、前記タイマーが前記設定した呼び出し時間をカウントしたならば、呼び出しから留守番電話機能に切り替えること特徴とする携帯電話。
【請求項２】
スケジュール内容としてさらに呼び出し音量を記憶部に記憶し、制御部は前記記憶部に記憶した呼び出し音量を参照し、前記呼び出し音量で呼び出し部に呼び出しを行わせることを特徴とする請求項１の携帯電話。
【請求項３】
スケジュール内容としてさらに発呼者を特定する情報を記憶部に記憶し、制御部は前記記憶部に記憶した前記発呼者を特定する情報を参照し、前記発呼者を特定する情報と着信相手を特定する情報とが一致するならば、前記記憶部に記憶した呼び出し音量設定を参照し、前記呼び出し音量で呼び出し部に呼び出しを行わせることを特徴とする請求項２の携帯電話。
【発明の詳細な説明】
【技術分野】
【０００１】
本発明は携帯電話の呼び出し機能に関し、特にスケジュールと連動して呼び出し機能を設定することを可能とする携帯電話に関する。
【背景技術】
【０００２】
従来、着信時の機能として、スケジュールに連動して自動的に留守番電話機能へ切り替わり、スケジュールに対応した応答メッセージを送出する機能を備える携帯電話が知られている。（例えば、特許文献１参照）
図１０は従来の携帯電話のブロック図を示しており、図１１は従来の携帯電話の着信時動作のフローチャートを示している。また、図１２は従来の携帯電話の応答メッセージを構成するメッセージデータを示し、図１４は従来の携帯電話のスケジュールテーブルを示している。
【０００３】
従来の携帯電話では、予め留守番電機能の起動時間を設定し（Ｓ１）、次に留守番電話機能の解除時間を設定し（Ｓ２）、次に応答メッセージの選択及び登録を行う（Ｓ３）。また、応答メッセージデータは使用者の不在状態を示す選択可能な可変メッセージと、電話に出られない旨を告げる定型メッセージとからなる。以上の構成及び設定から従来の携帯電話はスケジュールに連動して自動的に留守番電話機能へ切り替わり、スケジュールに対応した応答メッセージを送出することができる。
【特許文献１】特開２０００−３２１２１号公報
【発明の開示】
【発明が解決しようとする課題】
【０００４】
しかしながら、従来の携帯電話は、着信後一定時間経過すると自動的に留守番電話に切り替わり、利用者の使用状況に応じて呼び出し時間すなわち留守番電話に切り替わるまでの時間を設定することができない。したがって、例えば利用者に会議などのスケジュールが或る時間帯に入っており、利用者が予め電話に出られないことがわかっているその時間帯に着信があっても、スケジュールのない時間帯と等しく留守番電話に切り替わるまでの時間を要し、きめこまやかな対応ができないという問題があった。
【０００５】
本発明は、このような従来の携帯電話の問題を解決するためになされたものであり、呼び出し時間を利用者のスケジュールに対応して設定できる機能を提供することを目的とするものである。
【課題を解決するための手段】
【０００６】
上記課題を解決するために本発明の携帯電話は、着信時に着信信号を受信する無線部と、少なくともスケジュールの時間帯と呼び出し時間とを含むスケジュール内容を設定入力する操作部と、前記スケジュール内容を記憶する記憶部と、現在時刻の計時と呼び出し時間のカウントを行うタイマーと、呼び出しを行う呼び出し部と、呼び出し及び留守番電話機能を制御する制御部と、を備え、着信時に前記制御部は、前記記憶部に記憶された前記スケジュ一ル内容を参照し、前記タイマーの計時した現在時刻が前記スケジュールの時間帯にあるならば、前記呼び出し部に呼び出しを行わせるとともに前記タイマーに呼び出し時間のカウントを開始させ、着信応答があるかを確認し、前記タイマーが前記設定した呼び出し時間をカウントしたならば、呼び出しから留守番電話機能に切り替えること特徴とする。
【０００７】
この構成により、着信時にスケジュールを参照し、予めスケジュールに設定しておいた時間だけ呼び出しを行い、設定時間を経過した場合に自動的に留守番電話に切り替えることができる。
【０００８】
また、スケジュール内容としてさらに呼び出し音量を記憶部に記憶し、制御部は前記記憶部に記憶した呼び出し音量を参照し、前記呼び出し音量で呼び出し部に呼び出しを行わせることを特徴とする。
【０００９】
この構成により、着信時にスケジュールを参照し、予めスケジュールに設定しておいた呼び出し時間かつスケジュールに設定した音量で呼び出しを行い、設定呼び出し時間を経過した場合に自動的に留守番電話に切り替えることができる。
【００１０】
また、スケジュール内容としてさらに発呼者を特定する情報を記憶部に記憶し、制御部は前記記憶部に記憶した前記発呼者を特定する情報を参照し、前記発呼者を特定する情報と着信相手を特定する情報とが一致するならば、前記記憶部に記憶した呼び出し音量設定を参照し、前記呼び出し音量で呼び出し部に呼び出しを行わせることを特徴とする。
【００１１】
この構成により、着信時にスケジュールを参照し、予めスケジュールに設定しておいた発呼者に対応した呼び出し時間かつスケジュールに設定した音量で呼び出しを行い、設定呼び出し時間を経過した場合に自動的に留守番電話に切り替えることができる。
【発明の効果】
【００１２】
本発明の携帯電話は、かかる構成によって、利用者のおかれる状況に応じて予めスケジュールに呼び出し時間を設定しておくことで、着信に対してきめこまやかに対応することができる。
【発明を実施するための最良の形態】
【００１３】
以下、本発明の実施の形態について図面を用いて説明する。
【００１４】
（第１の実施の形態）
図１に、本発明の第１の実施の形態における携帯電話の概略ブロック図を示す。
【００１５】
本発明の第１の実施の形態における携帯電話は、図１に示すように、無線部１０と操作部２０と記憶部３０と表示部４０と呼び出し部５０とタイマー６０と制御部７０とを備えている。無線部１０は基地局との送受信を行い、高周波無線信号の変復調を行い、着信時に着信信号を受信する。操作部２０は、携帯電話の利用者が電話番号の入力やスケジュールの設定等を行うものである。操作部２０としてはボタン押下型入力キー、カーソルやポインタの移動キー、ジョグ型入力スイッチ等が用いられるが、設定項目を入力するものであれば前記キーやスイッチに限るものではない。記憶部３０には操作部２０で設定されたスケジュールの内容及び留守番電話の応答メッセージや発呼者のメッセージを格納し、また携帯電話機能や留守番電話機能を制御・実行するプログラムを格納する。表示部４０はスケジュールの表示や電話帳の表示、電話番号の表示、着信の表示等を行う。呼び出し部５０は着信時に呼び出し音を鳴らし利用者に知らせる。呼び出し部５０としては音を発生するスピーカや振動を発生するバイブレータや点滅光を発生する発光装置など何れでもよいが、ここでは音を発生して呼び出しを行う例のみを示す。タイマー６０は現在時刻の計時と着信呼び出し時間のカウントを行いまた現在時刻の通知と経過時間の通知を行う。制御部７０は携帯電話全体の制御を行い、前記のプログラムに従い、時刻を管理しながらスケジュールの設定を実行する。
【００１６】
次に、本発明の第１の実施の形態における携帯電話について、その動作を、図２、図３ａ及び図３ｂを用いて詳細に説明する。
【００１７】
図２に、本発明の第１の実施の形態における携帯電話のスケジュ一ルの設定画面の一例を示す。図２に示すように、表示部４０において日付、開始時刻、終了時刻、内容、呼び出し時間設定の有無、呼び出し時間の設定項目を表示し、操作部２０によって前記設定項目の各設定値を表示部４０に表示させながら設定することができる。例えば、図２に示すスケジュール設定例では、４月１日の１５時から１６時までの時間帯に打ち合わせがあることが入力設定され、このスケジュールに対して呼び出し時間設定を行い、その呼び出し時間を５秒、また呼び出し後の留守番電話への切り替えがあり、としている。また、設定された項目は記憶部３０に格納される。制御部７０は着信時に記憶部に記憶された前記設定された項目を参照する。
【００１８】
図３ａ、図３ｂに、本発明の第１の実施の形態における携帯電話の動作のフローチャートを示す。図３ａ、図３ｂに示すように、携帯電話に着信があると（Ｓ３０１）、制御部７０はスケジュールに設定があるか記憶部３０を参照する。（Ｓ３０２）ここでスケジュールの設定がない場合は通常着信を行う。（Ｓ３１５）スケジュールが設定されている場合は、制御部７０はスケジュールで設定された日付、開始時間、終了時間に基づくスケジュールの時間帯を参照し（Ｓ３０３）、現在時刻と比較する。（Ｓ３０４）制御部７０はスケジュールに設定された時間帯に現在時刻が該当するか否かを確認し（Ｓ３０５）、該当しない場合は通常着信を行い（Ｓ３１５）、該当する場合はスケジュールに呼び出し時間が設定されているか記憶部３０を参照する。（Ｓ３０６）制御部７０は呼び出し時間が設定されていない場合は初期値を設定し（Ｓ３０７）、呼び出し時間が設定されている場合はその時間を設定する。（Ｓ３０８）そして、設定された時間だけ表示部４０や呼び出し部５０を動作させ呼び出しを実行し、タイマー６０で着信の呼び出し時間カウントを開始する。（Ｓ３０９）設定した時間の呼び出しを行っている間は利用者が応答したかを一定時間間隔で確認する。（Ｓ３１０）応答があった場合にはタイマー６０のカウントを中止させ、通話モードに移行する。（Ｓ３１１）応答がない場合には設定した呼び出し時間を経過したかタイマー６０の経過時間を確認する。（Ｓ３１２）設定時間を経過していない場合はＳ３１０へもどる。設定時間を経過した場合にはスケジュールに留守番電話の設定（留守番電話への切替設定）があるかを参照する。（Ｓ３１３）スケジュールに留守番電話の設定がある場合は留守番電話モードに移行する。（Ｓ３１４）スケジュ一ルに留守番電話の設定がない場合は通常着信モードに移行する。（Ｓ３１５）
このように、本発明の第１の実施の形態の携帯電話よれぱ、予めスケジュ一ルに対応して呼び出し時間を設定でき、スケジュールの該当時間帯に着信があった場合に、スケジュ一ル毎に設定した時間の呼び出しを行うことができ、スケジュール毎に設定した時間を経過した場合には自動的に留守番電話に切り替えることができる。
【００１９】
したがって、利用者のおかれる状況−例えば会議中や移動中、就寝中−に応じて予めスケジュールに呼び出し時間を設定しておくことで、例えば会議中には呼び出し時間を短くして速やかに留守番電話に切り替えたり、移動中には呼び出し時間を長くして留守番電話に切り替わる前に利用者が応答しやすくしたりするなど、きめこまやかに対応することができる。
【００２０】
（第２の実施の形態）
図４に、本発明の第２の実施の形態における携帯電話の概賂ブロック図を示す。図４において、図１と同一の番号を付したものは、第１の実施の形態の説明に用いた図１に示すものと同一のものを示している。したがって、これらのものについては、その詳細な説明を省略し、異なる点のみを説明する。
【００２１】
本発明の第２の実施の形態における携帯電話では記憶部３０には操作部２０で設定されたスケジュールの内容や呼び出し音の音量の設定及び留守番電話の応答メッセージや発呼者のメッセ一ジを格納し、携帯電話機能や留守番電話機能を実行するプログラムを格納する。
【００２２】
次に、本発明の第２の実施の形態における携帯電話について、その動作を図５、図６ａ及び図６ｂを用いて詳細に説明する。図５に、本実施の形態における携帯電話のスケジュールの設定画面の一例を示す。図５に示すように、表示部４０において日付、開始時刻、終了時刻、内容、呼び出し時間設定の有無、呼び出し時間、呼び出し音量の設定項目を表示し、操作部２０によって前記設定項目の各設定値を表示部４０に表示させながら設定することができる。また、設定された項目は記憶部３０に格納される。図６ａ、図６ｂに本実施の形態における携帯電話の動作のフローチャートを示す。図６ａ、図６ｂにおいて、Ｓ６０１からＳ６０８までの動作ステップはそれぞれ図３ａ、図３ｂのＳ３０１からＳ３０８までの動作ステップと同一になるため、詳細な説明を省略し、Ｓ６０９からの動作ステップを説明する。設定した呼び出し時間を参照（Ｓ６０８）した後、呼び出し音量が設定されているか記憶部３０を参照する。（Ｓ６０９）呼び出し音量が設定されていない場合は初期値を設定し（Ｓ６１０）、呼び出し音量が設定されている場合はその音量を設定する。（Ｓ６１１）その後のＳ６１２以降の動作ステップは図３ａ、図３ｂのＳ３１０以降の動作ステップと同一になるため、その詳細な説明は省略する。このように、本実施の形態における携帯電話よれば、予めスケジュールに呼び出し時間及び呼び出し音量を設定でき、スケジュールの該当時間に着信があった場合に、スケジュ一ル毎に設定した時間の呼び出し及びスケジュール毎に設定した音量での呼び出しを行うことができ、スケジュール毎に設定した時間を経過した場合には自動的に留守番電話に切り替えることができる。したがって、利用者の使用状況−例えば会議中や移動中、就寝中−に応じて予めスケジュールに呼び出し時間及び呼び出し音量を設定しておくことで、きめこまやかに対応することができる。
【００２３】
したがって、利用者のおかれる状況−例えば会議中や移動中、就寝中−に応じて予めスケジュールに呼び出し時間を設定しておくことで、例えば会議中には呼び出し音量を抑えてまた呼び出し時間を短くして速やかに留守番電話に切り替えたり、移動中には呼び出し音量を上げて利用者が着信に気づきやすくしたりまた呼び出し時間を長くして留守番電話に切り替わる前に利用者が応答しやすくしたりするなど、きめこまやかに対応することができる。
【００２４】
（第３の実施の形態）
図７に、本発明の第３の実施の形態における携帯電話の概略ブロック図を示す。図７において、図１と同一の番号を付したものは、第１の実施の形態の説明に用いた図１に示すものと同一のものを示している。したがって、これらのものについては、その詳細な説明を省略し、異なる点のみを説明する。
【００２５】
本発明の第３の実施の形態における携帯電話では記憶部３０には操作部２０で設定されたスケジュ一ルの内容や呼び出し音の音量の設定を格納し、留守番電話の応答メッセージや発呼者のメッセージを格納し、電話帳機能の内容やスケジュールにおいて発呼者を特定する設定を格納し、携帯電話機能や留守番電話機能を実行するプログラムを格納する。
【００２６】
次に、本実施の形態における携帯電話について、その動作を、図８、図９ａ、図９ｂ、図９ｃ及び図９ｄを用いて詳細に説明する。
【００２７】
図８に、本発明の第３の実施の形態における携帯電話のスケジュールの設定画面の一例を示す。図８に示すように、表示部４０において日付、開始時刻、終了時刻、内容、発呼者特定の有無、特定する発呼者、呼び出し時間設定の有無、呼び出し時間、呼び出し音量の設定項目を表示し、操作部２０によって前記設定項目の各設定値を表示部４０に表示させながら設定することができる。また、設定された項目は記憶部３０に格納される。ここで発呼者は、特定する発呼者の電話番号を直接入力することによって設定する。なお、特定する発呼者の情報の設定は前記の電話番号の入力によって設定するものに限るものではなく、発呼者の氏名や通称等と発呼者に対応付けた電話番号とを予め登録した電話帳（記憶部３０に記憶されている）を参照し、表示部４０に発呼者の氏名や通称等のリストを表示し、操作部２０における入力よってリストから選択することで発呼者を設定してもよい。着信時に制御部７０は、記憶部３０に記憶された発呼者の情報を参照し、着信信号に含まれる着信者を特定する情報（例えば着信者の電話番号）と記憶部３０に記憶された発呼者の情報（例えば発呼者を特定する電話番号）とを比較する。
【００２８】
図９ａ、図９ｂ、図９ｃ及び図９ｄに、本実施の形態における携帯電話の動作のフローチャートを示す。図９ａ、図９ｂ、図９ｃ及び図９ｄにおいて、Ｓ９０１からＳ９０５までの動作ステップはそれぞれ図３ａ、図３ｂに示すＳ３０１からＳ３０５までの動作ステップと同一になるため、詳細な説明を省略し、Ｓ９０６からの動作ステップを説明する。制御部７０はスケジュールに設定された時間帯に現在時刻が該当するか否かを確認し、該当する場合はスケジュールに発呼者の特定が設定されているか記憶部３０を参照する。（Ｓ９０６）制御部７０は、発呼者の特定が設定されている場合は記憶部３０を参照し（Ｓ９０７）、現在着信の電話番号が発呼者に対応する電話番号と同一か確認する。（Ｓ９０８）同一の場合は、発呼者を特定した呼び出し時間の設定があるか確認し（Ｓ９０９）、発呼者を特定した呼び出し時間が設定されていない場合は初期値を設定し（Ｓ９１０）、発呼考を特定した呼び出し時間が設定されている場合は記憶部３０を参照し設定する。（Ｓ３１１）次に制御部７０は、発呼者を特定した呼び出し音量の設定があるか確認し（Ｓ９１２）、発呼者を特定した呼び出し音量が設定されていない場合は初期値を設定し（Ｓ９１３）、発呼者を特定した呼び出し音量が設定されている場含には記憶部３０を参照及び設定し（Ｓ９１４）、呼び出し動作を実行する。このとき経過時間を測定するためにタイマー６０のカウントを開始する。（Ｓ９１５）また、Ｓ９０６においてスケジュ一ルに発呼者の特定が設定されていない場合及びＳ９０８において現在着信の電話番号と同一でない場合は発呼者を特定しない場合の呼び出し時間の確認を行う。（Ｓ９１６）これ以降Ｓ９２２までの動作ステップはＳ６０６からＳ６１２までの動作ステップと同一のため、詳細な説明を省略する。Ｓ９１５及びＳ９２２で呼び出し動作を実行し、タイマー６０のカウントを開始後、呼び出しを行っている間は利用者が応答したかを一定時間間隔で確認する。（Ｓ９２３）これ以降Ｓ９２８までの動作ステップはＳ３１１からＳ３１５までの動作ステップと同一のため、詳細な説明を省賂する。
【００２９】
このように、本実施の形態における携帯電話よれば、予めスケジュールに発呼者及び呼び出し時間及び呼び出し音量を設定でき、着信時にスケジュールを参照し、予めスケジュールに設定しておいた発呼者に対応した時間かつスケジュールに設定した音量で呼び出しを行い、設定時間を経過した場合に自動的に留守番電話に切り替えることができる。
【００３０】
したがって、利用者のおかれる状況−例えば会議中や移動中、就寝中−に応じて予めスケジュールに呼び出し時間を設定しておくことで、例えば会議中であっても特定の発呼者に対しては呼び出し音量を上げてまた呼び出し時間を長くして利用者が確実に着信に気づいて応答しやすくするなど、きめこまやかに対応することができる。
【産業上の利用可能性】
【００３１】
本発明によると、上述のように利用者は利用者のおかれる状況に応じて着信に対応できるので、本発明は携帯電話において広く有用である。
【図面の簡単な説明】
【００３２】
【図１】本発明の第１の実施の形態における携帯電話の概略ブロック図
【図２】本発明の第１の実施の形態における携帯電話のスケジュールの設定画面の一例を示す図
【図３ａ】本発明の第１の実施の形態における携帯電話の動作を示すフローチャート
【図３ｂ】本発明の第１の実施の形態における携帯電話の動作を示すフローチャート
【図４】本発明の第２の実施の形態における携帯電話の概略ブロック図
【図５】本発明の第２の実施の形態における携帯電話のスケジュールの設定画面の一例を示す図
【図６ａ】本発明の第２の実施の形態における携帯電話の動作を示すフローチャート
【図６ｂ】本発明の第２の実施の形態における携帯電話の動作を示すフローチャート
【図７】本発明の第３の実施の形態における携帯電話の概略ブロック図
【図８】本発明の第３の実施の形態における携帯電話のスケジュールの設定画面の一例を示す図
【図９ａ】本発明の第３の実施の形態における携帯電話の動作を示すフローチャ一ト
【図９ｂ】本発明の第３の実施の形態における携帯電話の動作を示すフローチャ一ト
【図９ｃ】本発明の第３の実施の形態における携帯電話の動作を示すフローチャ一ト
【図９ｄ】本発明の第３の実施の形態における携帯電話の動作を示すフローチャ一ト
【図１０】従来の携帯電話のブロック図
【図１１】従来の携帯電話のフローチャート
【図１２】従来の携帯電話の応答メッセージを構成するメッセージデータを示す図
【図１３】従来の携帯電話のスケジュールテーブルを示す図
【符号の説明】
【００３３】
１０    無線部
２０    操作部
３０    記憶部
４０    表示部
５０    呼び出し部
６０    タイマー
７０    制御部
【図１】
2007267180.tif 000003
【図２】
2007267180.tif 000004
【図３ａ】
2007267180.tif 000005
【図３ｂ】
2007267180.tif 000006
【図４】
2007267180.tif 000007
【図５】
2007267180.tif 000008
【図６ａ】
2007267180.tif 000009
【図６ｂ】
2007267180.tif 000010
【図７】
2007267180.tif 000011
【図８】
2007267180.tif 000012
【図９ａ】
2007267180.tif 000013
【図９ｂ】
2007267180.tif 000014
【図９ｃ】
2007267180.tif 000015
【図９ｄ】
2007267180.tif 000016
【図１０】
2007267180.tif 000017
【図１１】
2007267180.tif 000018
【図１２】
2007267180.tif 000019
【図１３】
2007267180.tif 000020